(57)【特許請求の範囲】
【請求項１】
雄側接続部を有する雄端子と、
前記雄側接続部が進入および退避可能で、かつ進入した前記雄側接続部が載置される筒状の雌側接続部を有する雌端子と、
前記雌側接続部に設けられた支持部によって電気的に接続された状態で支持され、前記支持部を支点に変位可能な可動部と、
前記可動部に設けられ、前記雌側接続部に対して進入する前記雄側接続部を押圧しない非押圧状態と、前記雌側接続部に載置された前記雄側接続部を前記雄側接続部の進退方向と交差する方向に押圧する押圧状態との間を変位可能な雌側接点部と、
前記可動部において前記支持部と前記雌側接点部との間の距離よりも前記支持部からの距離が長くなる位置に押圧可能に設けられ、押圧されることにより前記支持部を支点に前記雌側接点部を前記非押圧状態から前記押圧状態に変位させる被押圧部と、
前記雌側接続部に対して前記被押圧部を押圧しない初期位置と前記被押圧部を押圧する完了位置との間を相対的に変位可能に設けられた押圧部とを備え、
前記押圧部は、前記雄側接続部が前記雌側接続部内の正規の位置に至った後に、前記雌側接続部の内部において前記雄側接続部の進入方向とは反対方向から前記被押圧部を押圧する端子の接続構造。
【請求項２】
前記雌側接続部は、前後に延びる載置部を有しており、
前記押圧部は、前記雌側接続部において前記載置部の延び方向に沿って変位する請求項１に記載の端子の接続構造。
【請求項３】
前記押圧部は、金属によって形成されている請求項１または請求項２に記載の端子の接続構造。
【請求項４】
前記押圧部は、前記雌側接続部において前記雄側接続部が進入および退避する方向に変位可能に支持されている請求項１から請求項３のいずれか一項に記載の端子の接続構造。
【請求項５】
請求項１から請求項４のいずれか一項に記載に記載の端子の接続構造と、
前記雌端子を収容するハウジングとを備えたコネクタ装置であって、
前記押圧部は、前記ハウジングに設けられており、
前記被押圧部は、前記ハウジングの前記押圧部によって押圧される構成となっているコネクタ装置。
【請求項６】
請求項１から請求項４のいずれか一項に記載の端子の接続構造と、
前記雌端子を収容するハウジングとを備えたコネクタ装置であって、
前記押圧部は、前記ハウジングによって押圧可能とされているコネクタ装置。
【発明の詳細な説明】
【技術分野】
【０００１】
本明細書によって開示される技術は、端子の接続構造およびコネクタ装置に関する。
【背景技術】
【０００２】
例えば、雌端子と雄端子とが接続する端子の接続構造として、特開２０１３−８９４２１号公報（下記特許文献１）に記載のものが知られている。雌端子は、雄端子に設けられたタブ部が挿入される電気接続部を有している。電気接続部内には、電気接続部内に挿入されたタブ部に弾性接触する端子接触部が設けられており、端子接触部は、電気接続部から外方へ延出された係合片部を有している。
タブ部が雌端子の電気接続部内に挿入される過程では、端子接触部が小さい弾性付勢力でタブ部に接触しており、電気接続部内においてタブ部が正規の挿入位置に至る直前に、係合片部が雄端子を保持するハウジングによって押圧されることで、タブ部に対する端子接触部の接触荷重が高くなるように構成されている。
【先行技術文献】
【特許文献】
【０００３】
【特許文献１】特開２０１３−８９４２１号公報
【発明の概要】
【発明が解決しようとする課題】
【０００４】
ところで、上記の端子の接続構造によると、係合片部がハウジングによって押圧される前の状態においても、電気接続部内にタブ部が挿入される際には、タブ部が端子接触部によって押圧されて弾性接触しているため、雄端子と雌端子との接点部分のめっきがタブ部の挿入過程において剥がれてしまう虞がある。このため、耐摩耗性が高く、低抵抗な高価な銀めっきなどを両端子の接点部分に用いると、製造コストが高くなってしまうことから、その対策が切望されていた。
【０００５】
本明細書では、両端子の接点部分が摩耗することを抑制し、両端子間の接続信頼性を確保する技術を開示する。
【課題を解決するための手段】
【０００６】
本明細書によって開示される技術は、端子の接続構造であって、雄側接続部を有する雄端子と、前記雄側接続部が進入および退避可能で、かつ進入した前記雄側接続部が載置される雌側接続部を有する雌端子と、前記雌側接続部に設けられた支持部によって電気的に接続された状態で支持され、前記支持部を支点に変位可能な可動部と、前記可動部に設けられ、前記雌側接続部に対して進入する前記雄側接続部を押圧しない非押圧状態と、前記雌側接続部に載置された前記雄側接続部を前記雄側接続部の進退方向と交差する方向に押圧する押圧状態との間を変位可能な雌側接点部と、前記可動部において前記支持部と前記雌側接点部との間の距離よりも前記支持部からの距離が長くなる位置に押圧可能に設けられ、押圧されることにより前記支持部を支点に前記雌側接点部を前記非押圧状態から前記押圧状態に変位させる被押圧部とを備える構成とした。
【０００７】
このような構成の端子の接続構造によると、雄側接続部を雌側接続部に進入させて載置した後、被押圧部が押圧されることにより、雌側接点部が雄側接続部の進入方向と交差する方向に変位し、雌側接点部が雄側接続部に対して非押圧状態から押圧状態に変位する。つまり、雄側接続部に対して雌側接点部を押し付けていない非押圧状態で雌側接続部に雄側接続部が配置された後、雌側接点部が雄側接続部を交差する方向から押圧するから、両端子の接点部分が摺動して摩耗することを抑制することができる。
【０００８】
また、押圧部によって被押圧部が押圧されると、支持部を支点に雌側接点部がてこの原理によって非接触位置から接触位置に向けて変位し雄側接続部に押し付けられるから、例えば、弾性接触片を有する雌端子に雄端子を挿入することをもって雄端子と弾性接触片とを弾性接触させる場合に比べて、両端子間における接圧を高くすることができる。これにより、高価なめっきを用いることなく、両端子間の接続信頼性を確保することができる。
【０００９】
本明細書によって開示される端子の接続構造は、以下の構成としてもよい。
【００１０】
前記雌側接続部に対して前記被押圧部を押圧しない初期位置と前記被押圧部を押圧する完了位置との間を相対的に変位可能に設けられた押圧部を備え、前記押圧部は、前記雌側接続部において前記雄側接続部が載置される底板に沿うように変位する構成としてもよい。
【００１１】
このような構成によると、被押圧部が載置面に沿うように変位する押圧部によって押圧されるから、例えば、被押圧部を載置面と交差する方向から押圧する押圧部に比べて、接続構造を小型化できる。
【００１２】
前記押圧部は、金属によって形成されている構成としてもよい。
【００１３】
このような構成によると、被押圧部によって押圧部が摩耗することを抑制することができる。
【００１４】
前記押圧部は、前記雌側接続部において前記雄側接続部が進入および退避する方向に変位可能に支持されている構成としてもよい。
【００１５】
このような構成によると、雌側接続部に支持された押圧部を雄側接続部が進退する方向に変位させて、被押圧部を押圧することができる。
【００１６】
前記の接続構造と、前記雌端子を収容するハウジングとを備えたコネクタ装置であって、前記押圧部は、前記ハウジングに設けられており、前記被押圧部は、前記ハウジングの前記押圧部によって押圧される構成としてもよい。
【００１７】
このようなコネクタ装置によると、ハウジングに収容された雌端子を、例えば、ハウジングに押し付けるだけで、ハウジングの押圧部によって被押圧部を押圧することができる。これにより、専用治具などを用いずに、押圧部によって被押圧部を押圧することができる。
【００１８】
前記端子の接続構造と、前記雌端子を収容するハウジングとを備えたコネクタ装置であって、前記押圧部は、前記ハウジングによって押圧可能とされている構成としてもよい。
【００１９】
このようなコネクタ装置によると、ハウジングに収容された雌端子を、例えば、ハウジングに押し付けるだけで、ハウジングによって押圧部を押圧し、押圧された押圧部によって被押圧部を押圧することができる。これにより、専用治具などを用いずに、被押圧部を押圧することができる。
【発明の効果】
【００２０】
本明細書によって開示される技術によれば、両端子の接点部分が摩耗することを抑制し、両端子間の接続信頼性を確保することができる。
【図面の簡単な説明】
【００２１】
【図１】実施形態１にかかる雌端子と雄端子との接続前の状態を示す平面図
【図２】図１のＡ−Ａ線断面図
【図３】雌側接続部内に雄側接続部が進入した状態を示す平面図
【図４】図３のＢ−Ｂ線断面図
【図５】雌端子と雄端子との接続後の状態を示す平面図
【図６】押圧部によって被押圧部が押圧され雌側接点部が雄側接続部に押し付けられた状態を示す図５のＣ−Ｃ線断面図
【図７】実施形態２にかかる雌端子と雄端子との接続前の状態を示す平面図
【図８】図７のＤ−Ｄ線断面図
【図９】雌側接続部内に雄側接続部が進入した状態を示す平面図
【図１０】図９のＥ−Ｅ線断面図
【図１１】雌端子と雄端子との接続後の状態を示す平面図
【図１２】押圧部によって被押圧部が押圧され雌側接点部が雄側接続部に押し付けられた状態を示す図１１のＦ−Ｆ線断面図
【発明を実施するための形態】
【００２２】
＜実施形態１＞
本明細書に開示された技術における実施形態１について図１から図６を参照して説明する。
【００２３】
本実施形態は、車両に搭載される機器などに使用されるコネクタ装置ＣＮに使用される端子の接続構造１０であって、図５および図６に示すように、雌側ハウジング（「ハウジング」の一例）Ｈに収容される雌端子２０と図示しない雄側ハウジングに収容される雄端子４０との接続構造を例示している。なお、以下の説明において、上下方向とは、図２における上下方向を基準とする。また、前後方向とは、図１および図２における左右方向を基準とし、雌端子２０と雄端子４０とが互いに接続される側を前側として説明する。
【００２４】
雄端子４０は、導電性に優れた金属板材をプレス等によって加工することにより形成されている。雄端子４０は、図１から図６に示すように、平板状の雄側接続部４１の後方に繋ぎ部４２を挟んで図示しない雄側電線接続部が設けられた構成とされており、雄側電線接続部が図示しない電線の端末に公知の接続方法によって接続されることで、電線の端末に雄端子４０が接続されている。
【００２５】
雄側接続部４１は、繋ぎ部４２よりも横方向に幅狭に形成されており、雄側接続部４１と繋ぎ部４２との境界部分における横方向両側の位置には前方に向かって臨む一対の当接面４３が段付状に形成されている。
【００２６】
一方、雌端子２０は、雄端子４０よりも薄い導電性に優れた金属板材をプレス等によって加工することで形成されている。また、雌端子２０は、図１および図２に示すように、雄端子４０と接続可能な雌側接続部２１と、雌側接続部２１の後方に連なって設けられた雌側電線接続部２２とを備えて構成されており、雌側電線接続部２２に図示しない電線の芯線を載置し、公知の接続方法によって接続することで、電線に雌端子２０が接続されるようになっている。
【００２７】
雌側接続部２１は、図２に示すように、平板状の底板２１Ａと、底板２１Ａの横方向両側縁から上方に立ち上がる一対の側板２１Ｂと、一対の側板２１Ｂの上端側縁を横方向に繋ぐ平板状の天井板２１Ｃとを有しており、前後に開口する四角筒状に形成されている。
【００２８】
雌側接続部２１には、図１から図４に示すように、前端開口から雄側接続部４１が進入および退避可能とされており、雌側接続部２１に対して雄側接続部４１が正規の挿入位置まで挿入されると、雌側接続部２１の底板２１Ａから上方に張り出して形成された前後に延びる載置部２３に雄側接続部４１が載置されるように設定されている。また、雌側接続部２１に対して雄側接続部４１が正規の挿入位置まで挿入されると、図３に示すように、雄側接続部４１の一対の当接面４３が雌側接続部２１の前端開口縁に当接することで前止まりされるようになっている。
【００２９】
さて、雌側接続部２１の前端開口における上縁部２１Ｄには、図２、図４および図６に示すように、押圧部５０によって押圧されることにより、下方に向けて弾性変位する別体の可動片（「可動部」の一例）２５が固定されている。
【００３０】
可動片２５は、図２、図４および図６に示すように、雌側接続部２１の天井板２１Ｃと電気的に接続された状態で雌側接続部２１の前端開口における上縁部２１Ｄに接続されている。また、可動片２５は、上縁部２１Ｄから後方に向けて片持ち状に延出した形態とされており、天井板２１Ｃに接続された支持部２６を支点に下方に向けて弾性変位可能に設けられている。
【００３１】
また、可動片２５は、図２および図４に示すように、弾性変位していない自然状態において雌側接続部２１の前端開口から下方に向けて山形状に張り出す山形部２７と、山形部２７の後端縁から後方に向けて真っ直ぐ延びる延出部２８と、延出部２８の後端部に設けられた被押圧部２９とを備えて構成されている。
【００３２】
山形部２７において最も下端部となる突出端部は、図２に示すように、底板２１Ａにおける載置部２３の上方に配された雌側接点部３０とされており、この雌側接点部３０は、例えば、ニッケルめっきに比べて電気抵抗が低い錫めっきが施されている。
【００３３】
雌側接点部３０は、可動片２５が弾性変位していない自然状態では、図４に示すように、雌側接続部２１内に進入する雄側接続部４１の上面４１Ａに接触するものの雄側接続部４１を押圧しない非押圧状態となっている。そして、雌側接続部２１内における正規の位置に雄側接続部４１が配された状態において可動片２５が下方に弾性変位した際には、図６に示すように、雌側接点部３０は、雌側接続部２１内における位置は変位しないものの、雄側接続部４１の進退方向である前後方向と直交（交差）する方向である下方向に向けて雄側接続部４１の上面４１Ａを押圧する押圧状態となるように設定されている。
【００３４】
したがって、雌側接続部２１内における正規の位置に雄側接続部４１が配された状態において可動片２５が下方に弾性変位すると、雌側接点部３０が、底板２１Ａの載置部２３と共に上下方向両側から雄側接続部４１を挟持した状態となり、雄側接続部４１と雌側接続部２１とが電気的に接続されるようになっている。
【００３５】
被押圧部２９は、図２に示すように、延出部２８の後端部から斜め下方に屈曲された形態とされており、被押圧部２９における斜め上後側の弧状の曲面は押圧部５０によって前方に向けて押圧可能な被押圧面２９Ａとされている。つまり、被押圧部２９から可動片２５の支点である支持部２６までの距離は、雌側接点部３０から支持部２６までの距離に比べて長くなっている。なお、被押圧部２９における被押圧面２９Ａは、例えば、ニッケルめっきなどを施すことにより、耐摩耗性が高められている。
【００３６】
一方、押圧部５０は、図１および図２に示すように、略矩形平板状の金属板材からなり、押圧部５０の前端下部は、前方に向かうほど上方に傾斜する押圧面５１とされている。また、押圧部５０は、雌側接続部２１における一対の側板２１Ｂ間において天井板２１Ｃに沿うように配されており、図１から図４に示すように、押圧部５０の後部が雌側接続部２１の後端開口から後方に突出した初期位置と、図５および図６に示すように、押圧部５０が雌側接続部２１内に完全に収容された完了位置との間を載置部２３に沿うように前後方向に変位可能とされている。なお、押圧部５０は、例えば、雌側接続部２１における一対の側板２１Ｂとの間に設けられた図示しない保持機構によって前後方向に変位可能に保持されている。
【００３７】
押圧部５０の後面は、押圧部５０の板面に対して垂直となる押圧操作面５２とされており、図６に示すように、初期位置に配された押圧部５０の押圧操作面５２に雌側ハウジングＨを後方から接触させ、雌端子２０を前方から雌側ハウジングＨに押し付けて、押圧部５０を雌側接続部２１内に向けて相対的に変位させることで初期位置から完了位置に変位させることができる。また、例えば、図示しない治具などによって押圧操作面５２を前方に向けて押圧し、押圧部５０を雌側接続部２１内に向けて変位させることで初期位置から完了位置に変位させることもできる。
【００３８】
また、押圧部５０は、初期位置に配された状態では、図２に示すように、押圧部５０の先端が可動片２５の被押圧部２９の被押圧面２９Ａを押圧することなく後方から接触した状態となっており、押圧部５０が初期位置にから完了位置に変位する過程において、被押圧部２９の被押圧面２９Ａが押圧部５０の押圧面５１よって後方から押圧され、被押圧面２９Ａと押圧面５１とが摺動しつつ被押圧部２９が押圧部５０に乗り上げる。そして、図６に示すように、押圧部５０が完了位置に至ると、被押圧部２９が押圧部５０に完全に乗り上げた状態となり、可動片２５が支持部２６を支点に下方に向けて弾性変位するようになっている。
【００３９】
また、押圧部５０には、図１から図６に示すように、板厚方向である上下方向に貫通する略矩形状に開口する操作孔５３が設けられており、この操作孔５３に図示しない治具などを差し込んで押圧部５０を後方に押圧することで、押圧部５０を完了位置から初期位置へ引き戻すことができるようになっている。
【００４０】
ところで、本実施形態によると、押圧部５０は、雌側接続部２１に保持されているものの、変形例として、押圧部が雌側ハウジングの壁部に一体に固定されている構成とすることもできる。この場合、雌端子が雌側ハウジングに収容された際に、押圧部が初期位置に配され、雌端子を前方から雌側ハウジングに押し付けるようにして、押圧部を雌側接続部に対して前方に相対的に変位させることで、押圧部が完了位置に配されることになる。
【００４１】
つまり、初期位置と完了位置の間において、雌側ハウジングに一体に設けられた押圧部を、雌側接続部に対して前後方向に相対的に変位させることができるから、専用治具などを用いずに、押圧部によって被押圧部を押圧することができる。
【００４２】
本実施形態は、以上のような構成であって、続いて、雌端子２０と雄端子４０との接続方法を説明すると共に、端子の接続構造１０の作用および効果について説明する。
【００４３】
まず、図１および図２に示すように、雌端子２０の雌側接続部２１におおける押圧部５０が初期位置に配された状態で雌端子２０と雄端子４０と向かい合わせに配置し、雌端子２０の雌側接続部２１内に雄端子４０の雄側接続部４１を進入させる。
【００４４】
この雄側接続部４１の進入過程では、雌側接続部２１内に雄側接続部４１が進入し始めたところで、雄側接続部４１が可動片２５における山形部２７の雌側接点部３０と底板２１Ａの載置部２３に接触する。そして、雄側接続部４１が雌側接続部２１内の正規の位置に至ると、図３および図４に示すように、雄側接続部４１の一対の当接面４３が雌側接続部２１の前端開口縁に当接することで前止まりされ、底板２１Ａの載置部２３上に雄側接続部４１が載置される。
【００４５】
ここで、可動片２５は、弾性変位していない自然状態であるため、山形部２７の雌側接点部３０は、図４に示すように、雌側接続部２１内に配された雄側接続部４１の上面４１Ａに接触するものの雄側接続部４１を押圧しない非押圧状態となっている。
【００４６】
雄側接続部４１が雌側接続部２１内の正規の位置に配されたところで、押圧部５０の押圧操作面５２を雌側ハウジングＨに対して前方から押し付ける、もしくは、押圧部５０の押圧操作面５２を治具によって前方に向けて押圧する。
【００４７】
すると、雌側接続部２１に対して押圧部５０が相対的に前方に向けて変位し、押圧部５０が初期位置から完了位置へ変位する。この押圧部５０の変位過程では、まず、被押圧部２９の被押圧面２９Ａが押圧部５０の押圧面５１よって後方から押圧され、被押圧面２９Ａと押圧面５１とが摺動しつつ被押圧部２９が押圧部５０に乗り上げる。
【００４８】
そして、押圧部５０が完了位置に至ると、図６に示すように、被押圧部２９が押圧部５０に完全に乗り上げた状態となり、可動片２５が支持部２６を支点に下方に向けて弾性変位する。すると、被押圧状態であった可動片２５の山形部２７における雌側接点部３０が、雌側接続部２１内における位置は変位しないものの、雄側接続部４１の上面４１Ａを上方から押し付けるように押圧する押圧状態となる。そして、雄側接続部４１の上面４１Ａを下方に向けて押圧した雌側接点部３０が、底板２１Ａの載置部２３と共に上下方向両側から雄側接続部４１を挟持した状態となり、雌端子２０と雄端子４０とが電気的に接続された接続構造１０が構成される。
【００４９】
以上のように、本実施形態によると、雄端子４０の雄側接続部４１が雌端子２０の雌側接点部３０に接触しつつも、雌側接点部３０によって押圧されない状態で雌側接続部２１内に進入し、雄側接続部４１が雌側接続部２１内における正規の位置に至った後、雌側接点部３０が雄側接続部４１に対して押し付けられて押圧状態になる。つまり、押圧状態で摺動する部分を、被押圧部２９の被押圧面２９Ａと押圧部５０の押圧面５１とに限定しているから、雌端子２０の雌側接点部３０と雄端子４０の雄側接続部４１とが摺動して摩耗することを抑制することができる。これにより、雌側接点部３０に対して、高価な銀めっきなどを用いることなく、電気抵抗が比較的低く安価な錫めっきを施すことで、両端子２０，４０間の接続信頼性を確保することができる。
【００５０】
また、被押圧部２９と押圧部５０とは互いに押圧された状態で摺動するものの、互いに金属によって形成されると共に、被押圧部２９の被押圧面２９Ａには、耐摩耗性の高いニッケルめっきが施されているから、例えば、押圧部が合成樹脂などで形成されたり、被押圧部にニッケルめっきが施されていない場合に比べて、押圧部５０や被押圧部２９が摩耗することを抑制することができる。これにより、押圧部５０や被押圧部２９が摩耗することに起因して被押圧部２９に対する押圧力が低下することを抑制することができる。
【００５１】
さらに、本実施形態によると、可動片２５の支点である支持部２６から被押圧部２９のまでの距離が、支持部２６から雌側接点部３０までの距離に比べて長く構成されているから、押圧部５０によって被押圧部２９が押圧され、可動片２５が支持部２６を支点に下方に向けて弾性変位すると、雌側接点部３０が、てこの原理によって雄側接続部４１に押し付けられる。
【００５２】
つまり、例えば、弾性接触片を有する雌端子に雄端子を挿入することをもって雄端子と弾性接触片とを弾性接触させる場合に比べて、両端子２０，４０間における接圧を高くすることができる。また、例えば、支持部から被押圧部のまでの距離が支持部から雌側接点部までの距離と同一もしくは短く設定される場合に比べて、両端子２０，４０間における接圧を容易に高くすることができるようになっている。
【００５３】
また、本実施形態によると、押圧部５０が雌側接続部２１内において雄側接続部の進退方向と同一の前後方向に変位する構成となっているから、例えば、押圧部が雌側接続部の内外間を上下方向に変位する場合に比べて、両端子の接続構造を小型化することができる。
【００５４】
＜実施形態２＞
次に、実施形態２について図７から図１２を参照して説明する。
【００５５】
実施形態２の端子の接続構造１１０における雌端子１２０は、実施形態１における雌側接続部２１の天井板２１Ｃの形状と、可動片２５の形状と、押圧部５０の形状とを変更したものであって、実施形態１と共通する構成、作用、および効果については重複するため、その説明を省略する。また、実施形態１と同じ構成については同一の符号を用いるものとする。
【００５６】
実施形態２の雌側接続部１２１における天井板１２１Ｃには、図７、図９および図１１に示すように、前後に延びるスリットＳが天井板１２１Ｃの全長に亘って形成されている。言い換えると、天井板１２１Ｃは、スリットＳによって左右に分割されている。
【００５７】
可動片１２５は、鋭角に屈曲した板状をなしており、図８、図１０および図１２に示すように、支持ピン（「支持部」の一例）Ｐによって雌側接続部１２１の一対の側板１２１Ｂに回動可能に保持されている。
【００５８】
支持ピンＰは、一対の側板１２１Ｂ間に配される細長い丸ピンであって、一対の側板１２１Ｂの前後方向略中央部で、かつ天井板１２１Ｃよりもやや下方となる高さ位置に固定されている。
【００５９】
可動片１２５は、鋭角に屈曲されて支持ピンＰに支持された屈曲部１２６と、弾性変位していない自然状態において、屈曲部１２６から斜め前上方に向けて真っ直ぐ延びる被押圧片（「被押圧部」の一例）１２９と、屈曲部１２６から被押圧片１２９よりも前後方向に短い長さ寸法で斜め前下方に向けて真っ直ぐ延びる接触片１２７とを備えて構成されている。
【００６０】
被押圧片１２９は、図８および図１０に示すように、屈曲部１２６から雌側接続部１２１の天井板１２１ＣにおけるスリットＳ内まで延びており、被押圧片１２９の後面は、押圧部１５０によって押圧される被押圧面１２９Ａとされている。
【００６１】
押圧部１５０は、図７、図９および図１１に示すように、平面視略矩形の板状をなしており、前縁下端部は丸みを帯びた押圧曲面１５１とされている。また、押圧部５０の横方向両側には、雌側接続部１２１の天井板１２１ＣにおけるスリットＳの一対の側縁部Ｓ１にそれぞれ嵌合することで、押圧部１５０を雌側接続部１２１に対して前後方向に変位可能に支持する図示しない一対の嵌合凹部が設けられている。
【００６２】
したがって、押圧部１５０は、、天井板１２１ＣのスリットＳにおける一対の側縁部Ｓ１に対して一対の嵌合凹部を前後にスライドさせることで、図７から図１２に示すように、天井板１２１Ｃの前後方向略中央部に配された初期位置と、天井板１２１Ｃの前側に配された完了位置との間を前後に変位可能となっている。
【００６３】
押圧部１５０の後面は、図７から図１２に示すように、押圧操作面１５２とされる一方、押圧部１５０の前面は、解除操作面１５４とされおり、例えば、図示しない治具などによって押圧操作面１５２を後方から前方に向けて押圧することで、押圧部１５０を雌側接続部１２１内に向けて変位させ、解除操作面１５４を前方から後方に向けて押圧することで押圧部１５０を完了位置から初期位置に変位させることができるようになっている。
【００６４】
そして、押圧部１５０が初期位置から完了位置に変位する過程では、スリットＳ内に配された可動片１２５の被押圧片１２９における被押圧面１２９Ａに押圧部１５０の押圧曲面１５１が後方から当接し、押圧部１５０が完了位置に至ると、図１２に示すように、押圧部１５０の押圧曲面１５１が被押圧片１２９の被押圧面１２９Ａを後方から押圧した状態となって、被押圧片１２９が支持ピンＰを支点にほぼ水平となる状態まで回動変位する。
【００６５】
一方、接触片１２７は、図８に示すように、その下端部が、斜め前上方に向けて屈曲されており、この屈曲された部分は、雄側接続部４１の上面４１Ａと接続可能な雌側接点部１３０とされている。雌側接点部１３０は、可動片１２５が押圧部１５０によって押圧されていない状態では、図１０に示すように、雌側接続部１２１内に進入する雄側接続部４１の上面４１Ａに接触するものの、雄側接続部４１を押圧しない非押圧状態となっている。
そして、雌側接続部１２１内における正規の位置に雄側接続部４１が配された状態において、図１２に示すように、可動片１２５の被押圧片１２９が押圧部１５０によって後方から押圧されてほぼ水平となる状態まで変位すると、これに伴い、接触片１２７が支持ピンＰを支点に、てこの原理によって下方に押圧された状態となる。これにより、雌側接点部３０は、雌側接続部１２１内における位置は変位しないものの、雄側接続部４１の上面４１Ａを下方に向けて押圧する押圧状態となる。
【００６６】
つまり、本実施形態においても、雌端子１２０において押圧された状態で摺動する部分を、被押圧片１２９の被押圧面１２９Ａと押圧部１５０の押圧曲面１５１とに限定し、雌端子１２０の雌側接点部１３０と雄端子４０の雄側接続部４１とが摺動して摩耗することを抑制することができるようになっている。
【００６７】
また、本実施形態によると、可動片１２５の被押圧片１２９の長さ寸法が、接触片１２７の長さ寸法に比べて長く構成されているから、押圧部１５０によって被押圧片１２９が押圧され、被押圧片１２９が支持ピンＰを支点に下方に回動変位すると、図１２に示すように、雌側接点部１３０が、てこの原理によって雄側接続部４１に押し付けられるから、両端子１２０，４０間における接圧を高くすることができる。
【００６８】
＜他の実施形態＞
本明細書で開示される技術は上記記述及び図面によって説明した実施形態に限定されるものではなく、例えば次のような種々の態様も含まれる。
【００６９】
（１）上記実施形態１では、別体の可動片２５を雌側接続部２１に接続した構成とした。しかしながら、これに限らず、雌側接続部の前端縁から延出された金属片を後方に向けて折り返すことで可動片を雌側接続部と一体に形成してもよい。
【００７０】
（２）上記実施形態では、雄側接続部４１が雌側接続部２１、１２１内に進入する過程において雌側接点部３０，１３０が雄側接続部４１に接触する構成とした。しかしながら、これに限らず、雄側接続部が雌側接続部内に進入する過程では、雌側接点部が雄側接続部に接触しない構成にしてもよい。
【００７１】
（３）上記実施形態では、前後方向に変位する押圧部５０，１５０によって被押圧部２９および被押圧片１２９が押圧される構成にした。しかしながら、これに限らず、上下方向に変位する押圧部や横方向に変位する押圧部によって被押圧部を押圧する構成にしてもよい。
【符号の説明】
【００７２】
１０：端子の接続構造
２０，１２０：雌端子
２１，１２１：雌側接続部
２１Ａ，１２１Ａ：底板
２５，１２５：可動片（「可動部」の一例）
２６：支持部
２９：被押圧部
３０，１３０：雌側接点部
４０：雄端子
４１：雄側接続部
５０，１５０：押圧部
１２９：被押圧片（「被押圧部」の一例）
ＣＮ：コネクタ装置
Ｐ：支持ピン（「支持部」の一例）
【図１】
0006501119.tif 000002
【図２】
0006501119.tif 000003
【図３】
0006501119.tif 000004
【図４】
0006501119.tif 000005
【図５】
0006501119.tif 000006
【図６】
0006501119.tif 000007
【図７】
0006501119.tif 000008
【図８】
0006501119.tif 000009
【図９】
0006501119.tif 000010
【図１０】
0006501119.tif 000011
【図１１】
0006501119.tif 000012
【図１２】
0006501119.tif 000013